(57)【特許請求の範囲】
【請求項１】
動画を撮影する撮像手段を備える撮像装置において、
前記撮像装置の動きを判定する動き判定手段と、
前記撮像手段により得られた映像信号から撮影シーンを判別するシーン判別手段と、
前記シーン判別手段による判別結果から撮影モードを決定する撮影モード決定手段とを備え、
前記撮影モード決定手段は、前記動き判定手段による判定結果から、前記決定した撮影モードの切り替えやすさを変更することを特徴とする撮像装置。
【請求項２】
前記動き判定手段は、少なくとも、パン方向の動きおよびチルト方向の動きを判定することを特徴とする請求項１に記載の撮像装置。
【請求項３】
前記撮影モード決定手段は、前記動き判定手段により前記撮像装置がパン方向またはチルト方向へ動いていると判定された場合は、前記動き判定手段により前記撮像装置がパン動作またはチルト動作後に静止したと判定された場合に比べ、前記シーン判別手段による撮影シーンの判別から前記決定した撮影モードに切り替えるまでに要する時間を長く設定することを特徴とする請求項１または２に記載の撮像装置。
【請求項４】
光学ズームを行うズーム手段と、
前記ズーム手段によるズーム状態を判定するズーム判定手段とをさらに備え、
前記撮影モード決定手段は、前記動き判定手段による判定結果及び前記ズーム判定手段により判定されたズーム状態から、前記決定した撮影モードの切り替えやすさを変更することを特徴とする請求項１乃至３のいずれか１項に記載の撮像装置。
【請求項５】
前記撮影モード決定手段は、前記動き判定手段により前記撮像装置がパン方向またはチルト方向へ動いていると判定され、前記ズーム判定手段によりズーム中であると判定された場合は、前記撮像装置がパン動作またはチルト動作後またはズーム動作後停止したと判定された場合に比べ、前記シーン判別手段による撮影シーンの判別から前記決定した撮影モードに切り替えるまでに要する時間を長く設定することを特徴とする請求項４に記載の撮像装置。
【請求項６】
前記シーン判別手段による撮影シーンの判別から前記決定した撮影モードに切り替えるまでに要する時間は、複数の撮影モードごとに予め設定されることを特徴とする請求項１乃至５のいずれか１項に記載の撮像装置。
【請求項７】
前記シーン判別手段による撮影シーンの判別から前記決定した撮影モードに切り替えるまでに要する時間は、ユーザにより任意に設定されることを特徴とする請求項６記載の撮像装置。
【請求項８】
動画を撮影する撮像手段を備える撮像装置の制御方法において、
前記撮像装置の動きを判定する動き判定工程と、
前記撮像手段により得られた映像信号から撮影シーンを判別するシーン判別工程と、
前記シーン判別工程による判別結果から撮影モードを決定する撮影モード決定工程とを備え、
前記撮影モード決定工程は、前記動き判定工程による判定結果から、前記決定した撮影モードの切り替えやすさを変更することを特徴とする制御方法。
【請求項９】
請求項８記載の制御方法を撮像装置に実行させるための撮像装置に読み取り可能なプログラム。
【発明の詳細な説明】
【技術分野】
【０００１】
本発明は、撮像装置、その制御方法及びプログラムに関し、特に、映像信号から撮影シーンを判別し、複数の撮影モードから当該撮影シーンに最適な撮影モードを自動で決定する技術に関する。
【背景技術】
【０００２】
近年、デジタルカメラやビデオカメラなどの撮像装置は自動化が進み、撮影者が撮影したシーンに応じて自動で撮影モードを切り替える機能を備えた撮像装置が開発されている。自動で撮影モードを切り替える機能としては、被写体の顔や動きの状態を判断して撮影モードを切り替えるものがある（例えば、特許文献１参照）。この特許文献１では、被写体が顔を含むかを認識する顔認識手段と被写体の状態を検知する手段を備え、両手段の出力情報に基づいてカメラの撮影モードを設定する技術が開示されている。
【先行技術文献】
【特許文献】
【０００３】
【特許文献１】特開２００３−３４４８９１号公報
【発明の概要】
【発明が解決しようとする課題】
【０００４】
しかしながら、従来の撮像装置では、撮影シーンを判別してから撮影モードを決定するまでの時間は、撮影者の意図にかかわらず固定されている。撮影シーンを判別してから撮影モードを決定するまでの時間が短すぎると次のような問題がある。例えば、動画撮影時において、レンズの焦点距離や被写体の顔や動きの状態などの撮影条件が変動するたびに撮影モードが短期間で変更されることにより撮影映像の安定性が悪くなり、撮影者の望む映像が撮影できないという問題である。また、撮影シーンを判別してから撮影モードを決定するまでの時間が長すぎると、撮影者が意図的に撮影条件を変更した場合に撮影モードの追従性が悪くなり、撮影者の望む映像が撮影できないという問題がある。
【０００５】
本発明は、上記問題に鑑みて成されたものであり、撮影シーンを判別してから撮影モードを切り替えるまでの時間を制御することによって、撮影者の望む映像を撮影可能にする撮像装置、その制御方法及びプログラムを提供することを目的とする。
【課題を解決するための手段】
【０００６】
上記目的を達成するために、本発明の撮像装置は、動画を撮影する撮像手段を備える撮像装置において、前記撮像装置の動きを判定する動き判定手段と、前記撮像手段により得られた映像信号から撮影シーンを判別するシーン判別手段と、前記シーン判別手段による判別結果から撮影モードを決定する撮影モード決定手段とを備え、前記撮影モード決定手段は、前記動き判定手段による判定結果から、前記決定した撮影モードの切り替えやすさを変更することを特徴とする。
【発明の効果】
【０００７】
本発明によれば、撮影者がシーンを変更していないときは撮影映像の安定性を高め、撮影者がシーンを変更した場合には追従性を高めることにより、撮影者の望む映像を撮影可能にする。
【図面の簡単な説明】
【０００８】
【図１】本発明の第１の実施形態に係る撮像装置の構成例を示すブロック図である。
【図２】撮影モードを切り替える動作を説明するためのタイミングチャートであり、（ａ）はシーン情報がシーンＡからシーンＢに切り替わった場合、（ｂ）はシーンＡとシーンＢとが細かく切り替わった場合を示す。
【図３】動き判定部から入力された動き情報に基づいて係数Ｋを決定する動作を説明するためのタイミングチャートである。
【図４】図３の動作処理を示すフローチャートである。
【図５】本発明の第２の実施形態における、動き情報に基づいて撮影モードごとに係数Ｋを決定する動作を説明するためのタイミングチャートである。
【図６】本発明の第３の実施形態における、動き情報及びズーム情報に基づいて撮影モードごとに係数Ｋを決定する動作を説明するためのタイミングチャートである。
【発明を実施するための形態】
【０００９】
以下、本発明の実施の形態を図面を参照して詳細に説明する。
【００１０】
［第１の実施形態］
図１は、本発明の第１の実施形態に係る撮像装置の構成例を示すブロック図である。
【００１１】
撮像装置は、動画を撮影する機能を有し、以下の構成を備える。光学処理部１０１は、光学レンズや絞りなどで構成され、また光学ズーム機能を有する。撮像素子１０２は、ハードウェアとして、ＣＣＤ（Charge Coupled Device）やＣＭＯＳ（Complementary Metal Oxide Semiconductor）センサ等で構成される。ＡＦＥ１０３は、撮像素子１０２から出力されるアナログ映像信号をデジタル映像信号に変換するＡＦＥ（Analog Front End）である。映像信号処理部１０４は、ＡＦＥ１０３から出力されるデジタル映像信号に各種画像処理を行う。
【００１２】
シーン判別部１０５は、映像信号処理部１０４から取得したデジタル映像信号（以下、単に「映像信号」とする）に基づいて、撮影シーンを判別する機能を有する。撮影モード決定部１０６は、シーン判別部１０５によるシーン判別結果に基づいて撮影モードを決定する機能を有する。光学制御部１０７は、光学処理部１０１を制御する機能を有する。
【００１３】
映像制御部１０８は、撮像素子１０２及び映像信号処理部１０４を制御する機能を有する。動き検出部１０９は、撮像装置自体または被写体の動きを検出する機能を有する。動き判定部１１０は、動き検出部１０９による検出結果から撮像装置の動きを判定する機能を有する。
【００１４】
顔検出部１１１は、映像信号中に顔があるかどうかを検出する機能を有する。上述したＡＦＥ１０３〜顔検出部１１１は、回路等のハードウェアで構成されていても、ソフトウェアモジュール等で構成されていてもよい。
【００１５】
ユーザ操作部１１２は、ハードウェアとして、シャッタスイッチ、ズームキー等を備えるユーザ・インタフェースである。ユーザ操作部１１２に対するユーザの操作入力は、信号として、撮影モード決定部１０６、光学制御部１０７に入力される。
【００１６】
次に、図１の撮像装置における各部の動作について説明する。
【００１７】
光学処理部１０１を通過し、撮像素子１０２で光電変換された映像信号は、ＡＦＥ１０３でＡＤ変換を行われた後、映像信号処理部１０４でアパーチャ補正、ガンマ補正、ホワイトバランス等の撮像系の映像信号処理が行われる。映像信号処理部１０４から映像信号は、顔検出部１１１及びシーン判別部１０５に入力される。
【００１８】
顔検出部１１１は、次の技術的手段により被写体の顔を検出する。すなわち、入力された映像信号から肌色データを抽出し、肌色範囲と判断された測光点のクラスタを顔とする方法（特開昭５２−１５６６２４号公報参照）や、人の顔の形状の特徴量から顔領域を決定する方法（特開平８−０６３５９７号公報参照）などである。なお、顔検出方法については、これらに限定されるものではない。
【００１９】
顔検出部１１１による顔検出の結果は、信号としてシーン判別部１０５に入力される。
【００２０】
シーン判別部１０５は、顔検出部１１１による顔検出の結果の信号及び映像信号から撮影シーンを判別し、その判別結果をシーン情報として撮影モード決定部１０６に送出する。例えば、検出された顔が一つの場合はポートレートシーンと判別する。また、人の顔が検出されず、且つ背景が明るい場合は風景シーンと判別し、人の顔が検出されず、且つ背景が暗ければ夜景シーンと判別する（特開２００３−３４４８９１号公報参照）。
【００２１】
撮影モード決定部１０６は、シーン判別部１０５から送出されたシーン情報に基づいて、複数の撮影モードから撮影シーンに最適な撮影モードの決定を行う。撮影モード決定部１０６の詳細な動作については後述する。
【００２２】
光学制御部１０７は、撮影モード決定部１０６で決定された撮影モードに従い、光学処理部１０１に対してズーム、フォーカス、絞り、測光などの制御を行う。映像制御部１０８は、撮影モード決定部１０６で決定された撮影モードに従い、撮像素子１０２及び映像信号処理部１０４に対して、映像信号のホワイトバランス、カラーバランス、ＮＲ、γ、シャッタースピードなどの制御を行う。つまり、撮影モードが変更されることによって、例えば、同一輝度の映像であっても、シャッタースピードや絞りの値に差が生じたり、同一彩度および同一色相の映像であっても、カラーバランスやＮＲの強度に差が生じたりする。
【００２３】
動き検出部１０９は、撮像装置自体または被写体の動きを検出する。検出方法としては、例えば、光軸に対してピッチ方向とヨー方向の角速度を検出するように配置された振動ジャイロを用いる方法や、映像信号の時間的な相関より単位時間あたりの動き量を測定する動きベクトル検出などがある。なお、これらの検出方法に限定されるものではない。
【００２４】
動き判定部１１０は、動き検出部１０９からの検出結果に基づいて、撮像装置の動き、例えば撮像装置が静止状態にあるか、パン方向に動かされているか、チルト方向に動かされているかを判定する。具体的には、検出出力レベルが一定時間以上閾値を越えているときにはパンニング又はチルティングであると判定する（特開平７−２０３２８５号公報参照）。本実施形態では、以下の説明において、撮像装置がパン方向に動かされた場合にはパン動作とし、撮像装置がチルト方向に動かされた場合にはチルト動作とする。動き判定部１１０による判定結果は、動き情報として撮影モード決定部１０６に入力される。
【００２５】
次に、撮影モード決定部１０６における動作処理について説明する。
【００２６】
図２は、シーン判別部１０５から送出されたシーン情報に基づいて、撮影モードを切り替える動作を説明するためのタイミングチャートである。図２（ａ）は、シーン情報がシーンＡからシーンＢに切り替わった場合、図２（ｂ）は、シーンＡとシーンＢとが細かく切り替わった場合を示す。
【００２７】
図示のシーン情報２０１，２０２は、シーン判別部１０５から撮影モード決定部１０６に一定の周期ｔで出力されるものとする。撮影モード決定部１０６は、同じシーン情報が続く回数を測定し、予め設定された係数Ｋの回数以上連続して同じ撮影シーンが続いたと判定した場合、その撮影シーンに対応する撮影モードに切り替える。シーン情報がシーンＡからシーンＢに変わった場合、シーンＡに対応する撮影モードＡからシーンＢに対応する撮影モードＢに切り替わるまでに要する時間はＫ×ｔとなる。この（Ｋ×ｔ）時間は、撮影シーンを判別してから撮影モードを切り替えるまでの時間となる。例えば、図２（ａ）のシーン情報２０１では、係数Ｋ＝１のときはｔ時間後に撮影モードが切り替わり、係数Ｋ＝３のときには（３×ｔ）時間後に撮影モードが切り替わる。このように、シーン情報の切り替わりが乱れない場合には、係数Ｋが１のときは、撮影シーンを判別してから撮影モードを切り替えるまでの時間が短いが、係数Ｋが３になると長くなる。
【００２８】
一方、図２（ｂ）のシーン情報２０２のようにシーン情報の切り替わりが細かい場合、係数Ｋが１のときは撮影モードが頻繁に切り替わるが、係数Ｋが３のときは、シーン判別の乱れには影響されにくくなる。すなわち、係数Ｋを小さくすると追従性は高くなるが安定性が低い動作になり、係数Ｋを大きくすると追従性は低くなるが安定性が高い動作になる。そこで、本実施形態では、撮像装置の動き情報を用いて、係数Ｋを適応的に制御することで、撮影モードの切り替えやすさを変更する。
【００２９】
図３は、動き判定部１１０から入力された動き情報に基づいて係数Ｋを決定する動作を説明するためのタイミングチャートである。図４は、図３の動作処理を示すフローチャートである。
【００３０】
まず、ステップＳ４０１では、動き判定部１１０は、動き検出部１０９からの検出結果に基づいて、撮像装置が静止状態か、パン動作か、チルト動作かを判定する。このとき、動き判定部１１０は、パン動作／チルト動作の速さの度合いを判定することも可能である。また、動き判定部１１０は、パン／チルト動作や撮像装置の動静状態を記録することができ、記録された過去の動作状態から、速いパン動作またはチルト動作後に撮像装置が静止状態になったか否か等の動きも判定することができる。
【００３１】
このように、動き判定部１１０は、上述した判定結果から、ユーザのカメラワークに応じて、撮像装置の動静止、遅いパン動作、速いパン動作、速いパン動作後の静止という４つの動きを検出して撮影モード決定部１０６に動き情報として出力する。
【００３２】
次に、ステップＳ４０２において、撮影モード決定部１０６は、動き情報から係数Ｋの設定を行う。例えば、動き情報が静止状態のとき（図示の「静止」）は、ユーザが同じ被写体を撮り続けていると考えられ、安定性を高く追従性を低くしてよいと判断され、係数Ｋに３（Ｋ３）が設定される。動き情報が遅いパン動作のとき（図示の「パン（遅）」）は、ユーザが意図して被写体を変えているので、ある程度の追従性と安定性が必要になると判断されて、係数Ｋに３（Ｋ３）よりも小さい２（Ｋ２）が設定される。動き情報が速いパン動作のとき（図示の「パン（速）」）は、ユーザは次の被写体を撮るためのカメラワークを行っている可能性が高いので、追従性は必要ないと判断され、係数Ｋに最も大きな値である４（Ｋ４）が設定される。動き情報が速いパン動作後の静止のとき（図示の「パン（速）後静止」）は、ユーザが目的の被写体を撮影しだしたと考えられ、追従性を高める必要があると判断して、係数Ｋに最も小さな値である１（Ｋ１）が設定される。
【００３３】
このように、撮影モード決定部１０６は、Ｋ１≦Ｋ２≦Ｋ３≦Ｋ４という関係となるように係数Ｋ１〜Ｋ４を設定する。
【００３４】
そして、ステップＳ４０３では、撮影モード決定部１０６は、シーン情報と係数Ｋに基づいて撮影モードの切り替え制御を行う。
【００３５】
このように動作させることで、撮像装置が静止している状態や速いパン動作がなされている状態では、撮影モードの短期間の切り替えによる映像への影響が低減される。さらに、速いパン動作後に撮像装置が静止した直後に、撮影モードの切り替えが行われるように制御される。
【００３６】
本実施形態によれば、撮影モード決定部１０６が、映像信号から撮影シーンを判別したシーン情報と撮像装置や被写体を判別した動き情報に基づいて、撮影シーンを判別してから撮影モードを切り替えるまでの時間にかかわる係数Ｋを変化させる。そして、撮影モード決定部１０６がシーン情報と係数Ｋに基づいて撮影モードの切り替え制御を行う。このように動作させることで、撮影者が撮影シーンを変更していないときは撮影映像の安定性を高め、撮影者が撮影シーンを変更した場合には追従性を高めることにより、撮影者の望む映像を撮影可能にする。
【００３７】
［第２の実施形態］
次に、本発明の第２の実施形態に係る撮像装置について説明する。
【００３８】
本発明の第２の実施の形態に係る撮像装置は、その構成が上記第１の実施の形態で説明した図１の構成と同じであり、同様の部分については同一の符号を用いてその説明を省略する。以下に、上記第１の実施の形態と異なる点のみを説明する。
【００３９】
第２の実施形態では、複数の撮影モードごとに動き情報に対応する係数Ｋが予め設定されており、撮影モード決定部１０６がシーン情報と動き情報に基づいて係数Ｋを変化させることを特徴とする。
【００４０】
図５は、本発明の第２の実施形態における、動き情報に基づいて撮影モードごとに係数Ｋを決定する動作を説明するためのタイミングチャートである。なお、図５の動作処理については図４を参照しながら説明する。
【００４１】
まず、動き判定部１１０は、動き検出部１０９からの検出結果に基づいて、撮像装置が静止状態か、パン動作か、チルト動作かを判定する（ステップＳ４０１に相当）。このとき、シーン判別部１０５は複数のシーン判別が可能であり、本実施形態では、例えばシーンＡ、シーンＢ、シーンＣを判別する。シーンＡに対応する撮影モードをＡとし、シーンＢに対応する撮影モードをＢとし、シーンＣに対応する撮影モードをＣとする。
【００４２】
次に、撮影モード決定部１０６は、動き情報から撮影モードＡ，Ｂ，Ｃに対する係数Ｋａ，Ｋｂ，Ｋｃの設定を行う（ステップＳ４０２に相当）。例えば、動き情報が静止状態のとき（図示の「静止」）は、係数ＫａにＫ３、係数ＫｂにＫ３よりも大きなＫ４、係数ＫｃにＫ３よりも小さなＫ２が設定される。動き情報がパン状態のとき（図示の「パン」）は、係数ＫａにＫ２、係数ＫｂにＫ２よりも小さなＫ１、係数ＫｃにＫ２よりも大きなＫ３が設定される。このように、撮影モード決定部１０６は、Ｋ１≦Ｋ２≦Ｋ３≦Ｋ４という関係となるように係数Ｋ１〜Ｋ４を設定する。
【００４３】
上述した具体例において、静止状態では、撮影モードＣになりやすいが撮影モードＢにはなりにくく、パン状態では、撮影モードＢになりやすいが撮影モードＣになりにくいというように、撮影モードへの遷移のしやすさを制御することができる。すなわち、ユーザが撮像装置を静止させて撮影しているときに、人物が横切っても撮影モードをポートレートモードに切り替えにくくしたり、パン／チルト中には風景モードになりやすいが逆光モードにはなりにくいなどの制御を行うことが可能になる。なお、各モードに設定される係数Ｋａ，Ｋｂ，Ｋｃは予め設定された値でもよいし、ユーザが自分の撮影したい被写体に応じて任意に切り替えてもよい。切り替え時にはユーザ操作部１１２が利用され、ユーザ操作部１１２から撮影モード決定部１０６へ切り替え情報が入力される。
【００４４】
なお、上記第１の実施形態と同様に、動き判定部１１０が、撮像装置の静止、遅いパン動作、速いパン動作、速いパン動作後の静止という４つの動き情報を検出して撮影モード決定部１０６に出力するように構成してもよい。
【００４５】
本実施形態によれば、撮影モード決定部１０６が、シーン情報と動き情報に基づいて、撮影シーンを判別してから撮影モードを切り替えるまでの時間にかかわる係数Ｋを撮影モードごとに変化させる。そして、撮影モード決定部１０６がシーン情報と係数Ｋに基づいて撮影モードの切り替え制御を行う。これにより、撮影モードの切り替えを適切に制御することが可能になり、撮影者の望む映像を撮影可能にする。
【００４６】
［第３の実施形態］
次に、本発明の第３の実施形態に係る撮像装置について説明する。
【００４７】
本発明の第３の実施の形態に係る撮像装置は、その構成が上記第１の実施の形態で説明した図１の構成と同じであり、同様の部分については同一の符号を用いてその説明を省略する。以下に、上記第１の実施の形態と異なる点のみを説明する。
【００４８】
第３の実施形態では、撮影モード決定部１０６がシーン情報と動き情報、及びユーザの操作によるズーム情報に基づいて係数Ｋを変化させることを特徴とする。
【００４９】
図６は、本発明の第３の実施形態における、動き情報及びズーム情報に基づいて撮影モードごとに係数Ｋを決定する動作を説明するためのタイミングチャートである。なお、図６の動作処理については図４を参照しながら説明する。
【００５０】
まず、動き判定部１１０は、上記第１の実施形態と同様に、動き検出部１０９からの検出結果に基づいて、撮像装置が静止状態か、パン動作か、チルト動作かを判定する（ステップＳ４０１に相当）。このとき、動き判定部１１０は、パン動作／チルト動作の速さを検出することも可能である。動き判定部１１０は、パン動作／チルト動作の速さを含むパン／チルト動作の判定結果、撮像装置の動静状態を記録するができ、記録された過去の動作状態から、速いパン動作またはチルト動作後に撮像装置が静止状態になったか否か等の動きも判定することができる。
【００５１】
また、動き判定部１１０での上記判定時に、ユーザ操作部１１２は、不図示のズームキーの押下によって光学制御部１０７に対してレンズ駆動を指示すると共に、光学処理部１０１（ズーム手段）のズーム状態をズーム情報として撮影モード決定部１０６に出力する。
【００５２】
このように、動き判定部１１０は、上述した判定結果から、ユーザのカメラワークに応じて、撮像装置の動静止、パン／チルト動作、パン動作後の静止という動きを検出して撮影モード決定部１０６に動き情報として出力する。また、撮影モード決定部１０６は、ユーザのカメラワークに応じて、ズーム動作、例えば、ズームのＯＮ（ズーム）／ＯＦＦ（停止）、ズーム後の停止という動きをズーム情報として検出する。このとき、撮影モード決定部１０６は、ズーム判定手段として機能する。
【００５３】
次に、撮影モード決定部１０６は、動き情報、ズーム情報から係数Ｋの設定を行う（ステップＳ４０２に相当）。例えば、動き情報が静止状態でズーム情報が停止状態のときは、ユーザは同じ被写体を撮り続けていると考えられ、安定性を高く追従性を低くしてよいと判断され、係数ＫにＫ３が設定される。動き情報がパン状態でズーム情報が停止状態の場合もしくは動き情報が静止状態でズーム情報がズーム中のときは、ユーザが意図して被写体を変えているので、ある程度の追従性・安定性が必要になることから、係数ＫにＫ３より小さなＫ２が設定される。
【００５４】
動き情報がパン状態でズーム情報がズーム中のときは、次の被写体を撮るためのユーザのカメラワークである可能性が高いので、追従性は必要ないと判断されて、係数Ｋに最も大きなＫ４が設定される。一方、動き情報がパン動作後の静止状態でズーム情報が停止状態、または動き情報が静止状態でズーム情報がズーム動作後停止のときには、ユーザが目的の被写体を撮影しだしたと考えられ、追従性を高めるように、係数ＫにＫ２よりも小さなＫ１が設定される。
【００５５】
このように、撮影モード決定部１０６は、Ｋ１≦Ｋ２≦Ｋ３≦Ｋ４という関係になるように係数Ｋを設定する。そして、撮影モード決定部１０６は、シーン情報と係数Ｋに基づいて撮影モードの切り替え制御を行う。
【００５６】
このように動作させることで、撮像装置が静止している状態や、パン動作、ズーム動作している状態では、撮影モードの短期間の切り替えによる映像への影響が低減される。そして、撮像装置が静止した直後に、撮影モードの切り替えが行われるように制御される。
【００５７】
本実施形態によれば、撮影モード決定部１０６が、シーン情報と動き情報とズーム情報に基づいて、撮影シーンを判別してから撮影モードを切り替えるまでの時間にかかわる係数Ｋを変化させる。そして、撮影モード決定部１０６がシーン情報と係数Ｋに基づいて撮影モードの切り替え制御を行う。これにより、撮影者が撮影シーンを変更していないときは撮影映像の安定性を高め、撮影者が撮影シーンを変更した場合には追従性を高めることにより、撮影者の望む映像を撮影可能にする。
【００５８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５９】
１０２  撮像素子
１０５  シーン判別部
１０６  撮影モード決定部
１０８  映像制御部
１０９  動き検出部
１１０  動き判定部
１１１  顔検出部
１１２  ユーザ操作部
【図１】
0005623256.tif 000002
【図２】
0005623256.tif 000003
【図３】
0005623256.tif 000004
【図４】
0005623256.tif 000005
【図５】
0005623256.tif 000006
【図６】
0005623256.tif 000007